(57)【要約】【課題】電解コンデンサの電解液が実際に凍結状況にあるか否かに応じて適切に点灯制御をすることができる点灯装置を提供することを目的とする。【解決手段】  点灯回路１００は、チョッパ回路１０と、点灯回路４０と、温度検出回路３０と、制御回路５０を備えている。チョッパ回路１０は、電解コンデンサＣ１を有し、電源からの入力電圧で電解コンデンサＣ１を充電する。点灯回路３０は、電解コンデンサＣ１の充電電荷から生成した電流を光源モジュール２００のＬＥＤに供給する。温度検出回路３０は、電解コンデンサＣ１の温度に応じた出力を発する。制御回路５０は、光源モジュール２００のＬＥＤに供給する電流を調節する。制御回路５０は、起動開始後にＬＥＤへの電流が目標電流値に至るようにＬＥＤへの電流を増加させるものであり、かつ、起動開始から目標電流値に至るまでの時間である起動時間Ｔを温度検出回路３０の出力に応じて調整する。【選択図】図２
2014216220.tif 000002
【特許請求の範囲】
【請求項１】
電解コンデンサを有し、電源からの入力電圧で前記電解コンデンサを充電するチョッパ回路と、
前記電解コンデンサの充電電荷から生成した電流を発光素子に供給する点灯回路と、
前記電解コンデンサの温度に応じた出力を発する温度検出回路と、
前記発光素子に供給する電流を調節する制御回路と、
を備え、
前記制御回路は、起動開始後に前記発光素子への電流が目標電流値に至るように前記発光素子への電流を増加させるものであり、かつ、起動開始から前記目標電流値に至るまでの時間である起動時間を前記温度検出回路の出力に応じて調整することを特徴とする点灯装置。
【請求項２】
電源と接続するチョッパ回路と、
電解コンデンサを備え、前記チョッパ回路の出力電流を前記電解コンデンサで平滑して発光素子に供給する点灯回路と、
前記電解コンデンサの温度に応じた出力を発する温度検出回路と、
前記発光素子に供給する電流を調節する制御回路と、
を備え、
前記制御回路は、起動開始後に前記発光素子への電流が目標電流値に至るように前記発光素子への電流を増加させるものであり、かつ、起動開始から前記目標電流値に至るまでの時間である起動時間を前記温度検出回路の出力に応じて調整することを特徴とする点灯装置。
【請求項３】
前記点灯回路のスイッチング素子への制御信号を調整することにより、前記温度検出回路の出力に応じた前記起動時間の増減を行うことを特徴とする請求項１または２に記載の点灯装置。
【請求項４】
前記チョッパ回路のスイッチング素子への制御信号を調整することにより、前記温度検出回路の出力に応じた前記起動時間の増減を行うことを特徴とする請求項１乃至３のいずれか１項に記載の点灯装置。
【請求項５】
起動開始から前記目標電流値に至るまでの出力電流の増加率を変更することにより、前記起動時間を調整することを特徴とする請求項１乃至４のいずれか１項に記載の点灯装置。
【発明の詳細な説明】
【技術分野】
【０００１】
本発明は、点灯装置に関する。
【背景技術】
【０００２】
従来、例えば特開２０１２−１５０５２号公報に記載されているように、低温環境下用の点灯装置が知られている。この公報にかかる技術は、電解コンデンサの電解液が凍結する低温用の点灯装置として、電源投入後、所定時間は５０％調光点灯させて電解コンデンサの電解液を溶かしてから、その後に１００％点灯（全光点灯）させる技術を開示している。
【先行技術文献】
【特許文献】
【０００３】
【特許文献１】特開２０１２−１５０５２号公報
【発明の概要】
【発明が解決しようとする課題】
【０００４】
しかしながら、上記従来の技術では、電源投入後、実際に電解コンデンサの電解液が凍結しているか否かに係らず、画一的に所定時間だけ５０％調光させるものである。このため、電解コンデンサの電解液が凍結していない通常環境下においても、不可避的に１００％点灯になるまでに長時間がかかるという問題があった。
【０００５】
この発明は、電解コンデンサの電解液が実際に凍結状況にあるか否かに応じて適切に点灯制御をすることができる点灯装置を提供することを目的とする。
【課題を解決するための手段】
【０００６】
第１の発明にかかる点灯装置は、
電解コンデンサを有し、電源からの入力電圧で前記電解コンデンサを充電するチョッパ回路と、
前記電解コンデンサの充電電荷から生成した電流を発光素子に供給する点灯回路と、
前記電解コンデンサの温度に応じた出力を発する温度検出回路と、
前記発光素子に供給する電流を調節する制御回路と、
を備え、
前記制御回路は、起動開始後に前記発光素子への電流が目標電流値に至るように前記発光素子への電流を増加させるものであり、かつ、起動開始から前記目標電流値に至るまでの時間である起動時間を前記温度検出回路の出力に応じて調整することを特徴とする。
【０００７】
第２の発明にかかる点灯装置は、
電源と接続するチョッパ回路と、
電解コンデンサを備え、前記チョッパ回路の出力電流を前記電解コンデンサで平滑して発光素子に供給する点灯回路と、
前記電解コンデンサの温度に応じた出力を発する温度検出回路と、
前記発光素子に供給する電流を調節する制御回路と、
を備え、
前記制御回路は、起動開始後に前記発光素子への電流が目標電流値に至るように前記発光素子への電流を増加させるものであり、かつ、起動開始から前記目標電流値に至るまでの時間である起動時間を前記温度検出回路の出力に応じて調整することを特徴とする。
【発明の効果】
【０００８】
本発明によれば、電解コンデンサの電解液が実際に凍結状況にあるか否かに応じて適切に点灯制御をすることができる。
【図面の簡単な説明】
【０００９】
【図１】本発明の実施の形態にかかる点灯装置の構成の一部を示す模式的な側面図である。
【図２】本発明の実施の形態にかかる点灯装置の回路図である。
【図３】本発明の実施の形態にかかる点灯装置の動作を説明するための図であり、図２の点灯装置における動作波形図である。
【図４】本実施の形態の変形例にかかる点灯装置を示す回路図である。
【図５】本実施の形態の変形例にかかる点灯装置を示す回路図である。
【図６】本発明の実施の形態にかかる設定電圧と起動時間の関係を定めたテーブルである。
【図７】本発明の実施の形態にかかる点灯装置における起動時の出力電流波形の一実施例を示す波形図である。
【図８】本発明の実施の形態にかかる点灯装置における起動時の出力電流波形の一実施例を示す波形図である。
【図９】本発明の実施の形態にかかる点灯装置における起動時の出力電流波形の一実施例を示す波形図である。
【図１０】本発明の実施の形態の変形例にかかる点灯装置の回路図である。
【発明を実施するための形態】
【００１０】
図１は、本発明の実施の形態にかかる点灯装置１００の構成の一部を示す模式的な側面図である。点灯装置１００は、その構成部品が実装されるプリント基板ＰＷＢを備えている。図１では、点灯装置１００の構成部品のうち下記に述べる一部の構成を示しており、便宜上、他の構成を省略している。
【００１１】
プリント基板ＰＷＢには、電解コンデンサＣ１が実装されている。電解コンデンサＣ１は、その内部に電解液を有しており、温度に応じて静電容量が変化するものである。
【００１２】
プリント基板ＰＷＢの裏面側には、電解コンデンサＣ１と対向する位置に、温度センサＳＥＮ（サーミスタＲｍ）が配置されている。温度センサＳＥＮの隣には温度センサＳＥＮの出力信号を受けるマイコンである制御回路５０（ＣＰＵ）が設けられており、これらは配線Ｗ１で接続している。制御回路５０は、配線Ｗ２を介して、点灯回路４０の点灯制御回路４１と接続している。制御回路５０は、温度センサＳＥＮが検出した温度に応じて、点灯制御回路４１の制御内容を調整することができる。
【００１３】
図２は、本発明の実施の形態にかかる点灯装置１００の回路図である。図１に記載の無い回路要素も詳細に図示している。点灯装置１００は、光源モジュール２００と接続し、光源モジュール２００に直流電流を供給する。光源モジュール２００は、直列接続された複数のＬＥＤからなる。この実施の形態では、直列接続されるＬＥＤの個数が５個の場合について説明する。しかしながら、本発明はこれに限定されず、任意のＬＥＤを直列にしてもよく、或いは、ＬＥＤを並列接続しても構わない。
【００１４】
点灯装置１００は、交流電源を整流するダイオードブリッジＤＢと、このダイオードブリッジＤＢに接続された昇圧チョッパ回路１０とを備えている。昇圧チョッパ回路１０は、ダイオードブリッジＤＢからの入力電圧を、より高い電圧に昇圧する回路である。昇圧チョッパ回路１０には、接続されるＬＥＤモジュールに電力を供給する点灯回路４０（定電流回路）が接続されている。
【００１５】
点灯装置１００は、制御電源回路６０を備えている。制御電源回路６０は、昇圧チョッパ回路１０及び点灯回路４０に制御電源Ｖｃｃ１を供給する。
【００１６】
点灯装置１００は、温度を検出する温度検出回路３０を備える。この温度検出回路３０は、上述した温度センサＳＥＮに内蔵された回路である。
【００１７】
昇圧チョッパ回路１０は、ダイオードブリッジＤＢが出力する出力電圧の電圧波形を検出する抵抗Ｒ１、Ｒ２を備えている。抵抗Ｒ１と抵抗Ｒ２で分圧された電圧はＰＦＣ制御回路１１に入力されている。抵抗Ｒ１およびＲ２の直列回路の一端は、インダクタＬ１およびダイオードＤ１の直列回路を介して点灯回路４０に接続している。
【００１８】
昇圧チョッパ回路１０は、スイッチング素子として設けられたＭＯＳ−ＦＥＴ（ＭＯＳ電界効果トランジスタ）Ｑ１と、このＭＯＳ−ＦＥＴＱ１とグランドとの間に直列に挿入された抵抗Ｒ３とを備えている。ＰＦＣ制御回路１１は、ＭＯＳ−ＦＥＴＱ１のゲートに制御信号を与えることでそのオン／オフを制御することができる。
【００１９】
昇圧チョッパ回路１０は、電解コンデンサＣ１を備えている。電解コンデンサＣ１は、ダイオードＤ１のカソードと、グランドとの間に挿入されている。電解コンデンサＣ１は、平滑コンデンサとして機能することができる。
【００２０】
温度検出回路３０は、抵抗Ｒ４とサーミスタＲｍとが直列接続されて構成されている。サーミスタＲｍは電解コンデンサＣ１に近接して配置され、この電解コンデンサＣ１の温度に応じて、抵抗値が変化する。「電解コンデンサＣ１の温度」とは、より具体的には電解コンデンサＣ１の周囲部品（プリント基板ＰＷＢ））を介して検出される温度であり、電解コンデンサＣ１の温度に依存する温度である。
【００２１】
サーミスタＲｍには、具体的には、例えば、ＮＴＣサーミスタまたはＰＴＣサーミスタを用いることができる。ＮＴＣサーミスタは、温度上昇に対して抵抗が減少するサーミスタである。ＰＴＣサーミスタは、温度上昇に対して抵抗が増大するサーミスタである。本実施の形態では、ＰＴＣサーミスタを用いる場合について説明する。
【００２２】
温度検出回路３０は、抵抗Ｒ４とサーミスタＲｍの中間点の電圧を、制御回路５０に対して出力する。つまり、温度検出回路３０は、抵抗Ｒ４とサーミスタＲｍによって分圧される分圧電圧を検出する。温度検出回路３０は、サーミスタＲｍの抵抗値が変わることによって、抵抗Ｒ４とサーミスタＲｍの分圧比が変化する。したがって、温度検出回路３０が出力する検出電圧は、電解コンデンサＣ１の温度変化に比例して変化する。
【００２３】
点灯回路４０は、ＭＯＳ−ＦＥＴ（ＭＯＳ電界効果トランジスタ）Ｑ２と、このＭＯＳ−ＦＥＴＱ２のオン／オフを制御する点灯制御回路４１とを備えている。点灯回路４０は、ＭＯＳ−ＦＥＴＱ２をスイッチング素子としたコンバータ回路である。コンデンサＣ２は、一端がＭＯＳ−ＦＥＴＱ２の出力に接続され他端がグランドに接続されており、平滑コンデンサとして機能する。
【００２４】
ダイオードＤ２のカソードが、光源モジュール２００のアノード側に接続し、ダイオードＤ２のアノードが、光源モジュール２００のカソード側に接続する。抵抗Ｒ５の一端は、光源モジュール２００のカソード、ダイオードＤ２のアノード、点灯制御回路４１にそれぞれと接続し、抵抗Ｒ５の他端はグランドに接続している。
【００２５】
制御回路５０は、具体的にはマイコンである。制御回路５０は、設定電圧および起動時間Ｔを対応付けたテーブルを記憶している。起動時間Ｔは、電源投入から目標電流値に到達するまでの時間である。本実施の形態では、起動時間Ｔは、徐々に出力電流を増加させていくことで交流電源投入時からＬＥＤの最大点灯（１００％点灯）に達するまでの時間である。
【００２６】
制御回路５０は、温度検出回路３０が出力する検出電圧と、内部に設定される設定電圧と比較する。比較の結果、検出電圧と最も近い設定電圧が１つ決定され、その最も近い設定電圧に応じた起動時間Ｔがテーブルから読み出される。このような処理により、点灯回路４０を起動する起動時間Ｔを決定することができる。
【００２７】
設定電圧は、本実施の形態では図６に示す表にあるとおり５段階に設定されている。ただし、本発明はこれに限られず、設定電圧は５段階に限らず任意の段階に区切って設定されていてもよく、数式の形で連続的に設定電圧と起動時間Ｔとを対応付けるものであってもよい。
【００２８】
制御電源回路６０は、制御電源Ｖｃｃ１を生成して、点灯回路４０の点灯制御回路４１、昇圧チョッパ回路１０のＰＦＣ制御回路１１、および制御回路５０それぞれに供給する。
【００２９】
次に、図３も参照して、本発明の実施の形態にかかる点灯装置１００の動作を説明する。図３は、本発明の実施の形態にかかる点灯装置１００の動作を説明するための図である。図３において、それぞれハッチングを付した領域は次の意味である。グラフＶＱ１が、昇圧チョッパ回路１０のＭＯＳ−ＦＥＴＱ１のソースドレイン電圧ＶＤＳを示している。グラフＩｏが、点灯回路４０の出力電流波形を示している。グラフＶＤ２が、点灯回路４０（バックコンバータ回路）におけるダイオードＤ２の両端電圧の波形を示している。
【００３０】
図３（ａ）は、本実施の形態にかかる制御を行わない場合における、低温時（電解コンデンサＣ１の電解液が凍結しているとき）の不具合について説明するための図である。図３（ｂ）は、電解コンデンサＣ１の温度がｔｃ１である場合に本実施の形態の起動シーケンスを起動時間Ｔ１で行った場合の電圧波形を示す。図３（ｃ）は、電解コンデンサＣ１の温度がｔｃ２（但し、ｔｃ１＞ｔｃ２）である場合に本実施の形態の起動シーケンスを起動時間Ｔ２で行った場合の電圧波形を示す。ただし、Ｔ１＜Ｔ２である。
【００３１】
本実施の形態では、制御回路５０が、電解コンデンサＣ１の温度に応じて異なる起動シーケンスを実行する。具体的には、図３（ｂ）（ｃ）に示すように、電解コンデンサＣ１の温度が低いほど、起動時間Ｔを長く設定する。
【００３２】
次に、実施の形態にかかる点灯装置１００において実行される具体的な制御内容を説明する。まず、点灯装置１００に交流電源が投入されると、制御電源回路６０が起動して制御電源Ｖｃｃ１を生成し、その制御電源Ｖｃｃ１を受けてＰＦＣ制御回路１１、点灯制御回路４１および制御回路５０が起動する。
【００３３】
このとき、制御回路５０は、温度検出回路３０が出力する検出電圧を読み取る。制御回路５０は、読み取った検出電圧を、図６に示すテーブル内の設定電圧と比較して、検出電圧と最も近い設定電圧に対応付けられた起動時間Ｔを読み取る。
【００３４】
次に、制御回路５０は、読み取った起動時間Ｔに基づいて、目標電流値に向かって徐々に出力電流を増加させるように点灯制御回路４１に制御信号を出力する。目標電流値とは、光源モジュール２００のＬＥＤを目標の明るさ（例えば、最大の明るさ）で点灯するために必要な電流の大きさである。この出力電流の増加は、起動時間Ｔに達したときに点灯回路４０の出力電流が最大（１００％）となるように行われる。ただし、本発明はこれに限られるものではなく、目標電流値を最大未満の出力電流に設定してもよい。
【００３５】
目標電流値を点灯回路４０に出力させるための制御情報（例えば、スイッチ素子であるＭＯＳ−ＦＥＴＱ１、Ｑ２のオン時間の割合）は、制御回路５０に備える記憶回路に予め記憶・設定しておく。
【００３６】
このようにすることによって、制御回路５０は、電解コンデンサＣ１の温度に応じて、起動時間Ｔを変化させることができる。
【００３７】
電解コンデンサＣ１の電解液が凍結している場合、この起動時間Ｔの間、電解コンデンサＣ１に印加されている電圧の振幅幅（振動）を抑えることができる。その結果、電解コンデンサＣ１に印加される電圧が点灯装置を構成する電子部品の定格電圧を超える恐れがなくなる。
【００３８】
ここで、低温時（電解コンデンサＣ１の電解液が凍結しているとき）の不具合について、さらに詳細に説明する。
【００３９】
電解コンデンサＣ１の電解液が凍結している場合、電解コンデンサＣ１のコンデンサ容量は通常（電解液が凍結していないとき）と比較して低くなり、また、ＥＳＲ（等価直列抵抗）の値が高くなる。そのため、昇圧チョッパ回路１０が動作したとき、電解コンデンサＣ１に充電される電荷量が少なくなる。充電電荷量が少なくなると、点灯回路４０がＬＥＤに最大電流を供給した場合、電解コンデンサＣ１の電荷が直ぐに少なくなって電圧が低下し、それを補うために昇圧チョッパ回路１０は出力電圧を高めようとする。
【００４０】
したがって、図３（ａ）に示すように、交流電源を投入してから、電解コンデンサＣ１の電圧は激しく振動（振幅が大きい）してしまい、符号Ｘで示す丸印に現れているように昇圧電圧がオーバーシュートしてしまう恐れもある。その結果、点灯装置を構成する電子部品の定格電圧を超えてしまう恐れがある。また、点灯回路４０はＬＥＤを安定的に点灯させることができずに、ＬＥＤがチラついたり、点滅したりしてしまう要因となる。
【００４１】
この点、本実施の形態にかかる点灯装置１００によれば、電解コンデンサＣ１の温度に応じて、点灯回路４０の起動時間Ｔを変化させることができる。このため、電解コンデンサＣ１の電解液が凍結している場合には、点灯回路４０がＬＥＤにいきなり最大電流を供給（１００％点灯）させずに徐々に出力電流を増加させることができる。従って、電解コンデンサＣ１に印加される電圧が電子部品の定格電圧を越えることがなく、また、ＬＥＤがチラついたり、点滅したりする恐れを減らせる。
【００４２】
また、電解コンデンサＣ１の温度に応じて起動時間Ｔを設定するので、電解コンデンサＣ１の電解液が凍結しない温度環境下にあっては、起動時間Ｔを短くすることもできる。従って、電解コンデンサＣ１が凍結していない環境下で無駄な起動時間が費やされるのを抑制することができる。
【００４３】
以上説明したように、本実施の形態によれば、電解コンデンサＣ１の電解液が凍結している場合には、徐々に点灯回路の出力電流を増加させる時間を長く設定し、調光点灯から全光点灯（１００％点灯）させることができる。このため、昇圧チョッパ回路の電解コンデンサに印加される電圧変動を抑えることができる。
【００４４】
また、本実施の形態によれば、電解液が液状化している場合は、電源投入時に瞬時に全光点灯（１００％点灯）とすることができる。このため、通常環境下では瞬時に点灯することが可能となる。
【００４５】
なお、この図１に示す点灯装置１００は、点灯回路４０のコンデンサＣ２にフィルムコンデンサなど電解液を含まない場合について説明しているが、コンデンサＣ２に電解コンデンサを用いてもよい。その場合、コンデンサＣ２が置かれる温度環境下は、電解コンデンサＣ１が置かれる温度環境下とほぼ等しい。従って、電解コンデンサＣ１の温度からコンデンサＣ２の温度もほぼ同じものとして、制御回路５０が点灯回路４０を制御するようにしてもよい。
【００４６】
また、図４に示すように、電解コンデンサＣ１に対して温度検出回路３０を備えることなく、電解コンデンサＣ２ａの近傍に温度検出回路３０ａを備えるようにしてもよい。
【００４７】
また、図５に示すように、電解コンデンサＣ１と電解コンデンサＣ２ａにそれぞれ温度検出回路３０、３０ａを備えるようにしてもよい。これにより、正確に電解コンデンサＣ１，Ｃ２ａそれぞれの温度検知を行うことができる。
【００４８】
なお、出力電流の増加の仕方は様々に考えられるが、例えば、図７乃至９に示すようにしてもよい。図７乃至９において、Ｔ１、Ｔ２、Ｔ３は、それぞれ制御回路５０が検出電圧に応じて読み取った異なる起動時間Ｔを示しており、Ｔ１＜Ｔ２＜Ｔ３の関係となっている。
【００４９】
図７は、起動時Ｔ０から、目標電流値（本実施の形態では１００％全光点灯となる電流値）に向かって、各起動時間Ｔ１、Ｔ２，Ｔ３内に出力電流を増加率一定で単純増加させるものである。起動時間Ｔ１、Ｔ２，Ｔ３ごとに、傾き（電流上昇率）が異なっている。
【００５０】
図８は、起動時に５０％調光点灯から３段階で各起動時間Ｔ１、Ｔ２，Ｔ３内に出力電流を目標電流値に到達させるものである。例えば、起動時間Ｔ１の場合には、一段目の増加を時刻ｔ１１で行い、二段目の増加を時刻ｔ１２で行う。起動時間Ｔ２の場合には、一段目の増加を時刻ｔ２１で行い、二段目の増加を時刻ｔ２２で行う。起動時間Ｔ３の場合には、一段目の増加を時刻ｔ３１で行い、二段目の増加を時刻ｔ３２で行う。それぞれ、起動時間を増加段数（３段）でちょうど等分した時間ごとに、電流を上昇させている。
【００５１】
図９は、起動時に５０％調光点灯から目標電流値に向けて各起動時間Ｔ１、Ｔ２，Ｔ３内に出力電流を増加率一定で単純増加させるものである。起動時間Ｔ１、Ｔ２，Ｔ３、傾き（電流上昇率）が異なっている。
【００５２】
また、本実施の形態では、制御回路５０は点灯回路４０を制御して、電解コンデンサＣ１の電圧振動を抑制する場合について説明した。しかしながら、本発明はこれに限られるものではない。
【００５３】
図１０は、本発明の実施の形態の変形例にかかる点灯装置３００の回路図である。図１０に示すように、制御回路５０を昇圧チョッパ回路１０のＰＦＣ制御回路１１に接続しても良い。このような回路において、制御回路５０が昇圧チョッパ回路１０（具体的には、ＭＯＳ−ＦＥＴＱ１）を制御して起動時間Ｔを調整することにより、電解コンデンサＣ１の電圧振動を抑制するようにしてもよい。あるいは、制御回路５０が点灯回路４０と昇圧チョッパ回路１０の両方を制御することにより、起動時間Ｔを調整しても良い。
【００５４】
また、本実施の形態では、温度検出回路３０が検出する検出電圧を制御回路５０が直接検出して電解コンデンサＣ１の温度を検出する場合について説明した。しかしながら、本発明はこれに限られるものではない。温度検出回路３０と制御回路５０との間にアンプを設けて、アンプによって温度検出回路３０の検出電圧の電圧値を増幅してもよい。また、温度検出回路３０の検出電圧と基準電圧とを比較して、その比較結果をアンプに出力させたりするようにしてもよい。
【符号の説明】
【００５５】
１０  昇圧チョッパ回路、１１  ＰＦＣ制御回路、３０  温度検出回路、３０ａ  温度検出回路、４０  点灯回路、４１  点灯制御回路、５０  制御回路、６０  制御電源回路、１００、３００  点灯装置、２００  光源モジュール、Ｃ１，Ｃ２ａ  電解コンデンサ、Ｃ２  コンデンサ、Ｄ１、Ｄ２  ダイオード、ＤＢ  ダイオードブリッジ、Ｌ１  インダクタ、ＰＷＢ  プリント基板、Ｑ１、Ｑ２  ＭＯＳ−ＦＥＴ、Ｒ１、Ｒ２、Ｒ３、Ｒ４、Ｒ５  抵抗、Ｒｍ  サーミスタ、ＳＥＮ  温度センサ、Ｔ０  起動時、Ｔ、Ｔ１、Ｔ２、Ｔ３  起動時間、Ｖｃｃ１  制御電源
【図１】
2014216220.tif 000003
【図２】
2014216220.tif 000004
【図３】
2014216220.tif 000005
【図４】
2014216220.tif 000006
【図５】
2014216220.tif 000007
【図６】
2014216220.tif 000008
【図７】
2014216220.tif 000009
【図８】
2014216220.tif 000010
【図９】
2014216220.tif 000011
【図１０】
2014216220.tif 000012